(57)【特許請求の範囲】
【請求項１】
所定長さのラベルシートと、このラベルシートの裏面に形成された粘着層と、この粘着
層を剥離可能な状態で覆っているライナーシートとを備え、
前記ラベルシートには、第１のバーコードを含む第１印刷情報が印刷されている第１ラ
ベル部分と、第２のバーコードを含む第２印刷情報が印刷されている第２ラベル部分とが
含まれており、
前記ライナーシートには、前記第１ラベル部分の裏面に位置する第１ライナーシート部分と前記第２ラベル部分の裏面に位置する第２ライナーシート部分とが含まれており、
前記第１ライナーシート部分および前記第２ライナーシート部分のうちの少なくとも一方には、当該第１ライナーシート部分または、前記第２ライナーシート部分の一部分のみを前記ラベルシートの側から剥離可能な切り剥がし部が形成されており、当該切り剥がし部を前記ラベルシートから剥がした後の前記第１ライナーシート部分あるいは、前記第２ライナーシート部分は、剥がし残しライナーシート部分として前記ラベルシートに残り、
前記第２ラベル部分における少なくとも前記第２のバーコードが印刷されている部分を、当該第２ラベル部分の裏面側に折り畳んで裏面側折り畳み部分を形成すると、前記裏面側折り畳み部分の裏面、前記裏面側折り畳み部分に対峙する前記第２ラベル部分の裏面、および、前記裏面側折り畳み部分に対峙する前記第１ラベル部分の裏面のうちの少なくとも一つの裏面に、前記切り剥がし部が位置するようになっていることを特徴とするバーコード担持ラベル。
【請求項２】
請求項１に記載のバーコード担持ラベルにおいて、
前記裏面側折り畳み部分を形成するための折り曲げ位置を規定する折り曲げ容易部分を備えており、
当該折り曲げ容易部分は、前記ラベルシートおよび前記ライナーシートの少なくとも一方に形成したミシン目、または、前記ラベルシートを切断することにより形成したラベル切断部分によって規定されていることを特徴とするバーコード担持ラベル。
【請求項３】
請求項１または２に記載のバーコード担持ラベルにおいて、
前記第２のバーコードを含む前記第２ラベル部分は、前記ラベルシートにおける長さ方向の端に位置していることを特徴とするバーコード担持ラベル。
【請求項４】
請求項１ないし３のうちのいずれかの項に記載のバーコード担持ラベルにおいて、
前記切り剥がし部は、前記第２ライナーシート部分および前記第１ライナーシート部分の双方に亘る状態に形成されていることを特徴とするバーコード担持ラベル。
【請求項５】
請求項４に記載のバーコード担持ラベルにおいて、
前記切り剥がし部は、前記第１ライナーシート部分における幅方向の一方の縁から、前記第２ライナーシート部分を経由して、前記第１ライナーシート部分における幅方向の他方の縁に至るように付けた切り込み線によって規定されていることを特徴とするバーコード担持ラベル。
【請求項６】
請求項１ないし３のうちのいずれかの項に記載のバーコード担持ラベルにおいて、
前記切り剥がし部は、前記ライナーシートにおいて、その幅方向の一方の縁から他方の縁に至るように付けた二条の切り込み線によって規定されていることを特徴とするバーコード担持ラベル。
【請求項７】
請求項１ないし６のうちのいずれかの項に記載のバーコード担持ラベルにおいて、
複数箇所に前記切り剥がし部が形成されていることを特徴とするバーコード担持ラベル。
【請求項８】
請求項１ないし７のうちのいずれかの項に記載のバーコード担持ラベルにおいて、
前記第２ラベル部分に印刷されている前記第２印刷情報には、企業広告情報および商品広告情報のうちの少なくとも一方が含まれていることを特徴とするバーコード担持ラベル。
【請求項９】
請求項８に記載のバーコード担持ラベルにおいて、
前記第１ラベル部分に印刷されている前記第１印刷情報には到着地、搭乗者名、航空便名が含まれており、航空便用のラゲッジタグとして用いられることを特徴とするバーコード担持ラベル。
【請求項１０】
請求項８に記載のバーコード担持ラベルにおいて、
前記第１ラベル部分に印刷されている前記第１印刷情報には配送先、配送物内容が含まれており、陸上配送用の配送伝票として用いられることを特徴とするバーコード担持ラベル。
【請求項１１】
請求項１ないし１０のうちのいずれかの項に記載のバーコード担持ラベルの使用方法であって、
前記切り剥がし部を切り剥がして前記粘着層の一部が露出した粘着層露出部を形成し、
前記第２ラベル部分を所定の部位において裏面側に折り畳むことにより、前記粘着層露出部によって、前記バーコード担持ラベルの裏面側に接着された前記裏面側折り畳み部を形成して、前記第２のバーコードが前記バーコード担持ラベルの裏面側に隠れた状態とし、この状態で、前記第１ラベル部分の前記第１ライナーシート部分を剥離して、当該第１ラベル部分を貼り付け対象部分に貼り付けることにより、バーコードリーダーを用いて前記第１ラベル部分に印刷されている前記第１のバーコードを読み取り可能とし、
前記第２ラベル部分の前記第２のバーコードの読み取り時には、前記裏面側折り畳み部を前記バーコード担持ラベルの裏面側から剥がして、当該バーコード担持ラベルの表面側に折り返して前記第２のバーコードを露出させるか、あるいは、折り返した裏面側折り畳み部を切り取ることを特徴とするバーコード担持ラベルの使用方法。
【発明の詳細な説明】
【技術分野】
【０００１】
本発明は、航空荷物用のラゲッジタグ、陸上輸送荷物用の配送伝票などとして用いられる複数のバーコードが印刷されたバーコード担持ラベルに関する。さらに詳しくは、新たに追加されたバーコードに影響されることなく既存のバーコードを既存の読み取り装置により読み取ることができ、新たに追加されたバーコードは必要に応じて読み取ることができるように、貼り付け対象物に貼り付けて用いることのできるバーコード担持ラベルおよびその使用方法に関する。
【背景技術】
【０００２】
従来から、バーコードを用いて商品の配送管理などを行う管理システムが広く利用されている。バーコードによる管理システムでは、管理対象物、例えば配送物にバーコードが印刷されたラベル（配送伝票）を貼り付け、各配送段階において配送物に貼り付けられているラベルのバーコードをバーコードリーダーによって読み取り、読み取り情報をコンピュータからなる管理端末において管理するようになっている。
【０００３】
ここで、クーポン、商品広告などをバーコードと共にラベルに追加し、追加したバーコードに担持されている情報に基づき各種の付加サービスを顧客に提供することが考えられる。このような場合には、配送管理用のバーコードを読み取る際に、付加サービス用に追加したバーコードが一緒に読み取られると、配送管理用のバーコードに担持されている配送管理情報を正確に読み取ることができず、配送管理に支障が発生する。このような弊害を回避するためには、例えば、特許文献１において提案されている特殊なバーコード読取装置を用いた管理システムを採用する必要がある。
【先行技術文献】
【特許文献】
【０００４】
【特許文献１】特開平０５−０８１４６０号公報
【発明の概要】
【発明が解決しようとする課題】
【０００５】
しかしながら、特許文献１に開示されているような特殊なバーコード読取装置を用いる場合には、既存のバーコードによる管理システムに変更を加える必要があり、また、そのための費用も掛るという問題点がある。
【０００６】
本発明の課題は、管理システムに変更を加えることなく、既存のバーコードを新たに追加されたバーコードに影響されることなく正確に読み取ることができ、しかも、新たに追加されたバーコードは必要に応じて既存の管理システムを用いて読み取ることができるように、貼り付け対象物に貼り付けて用いることのできるバーコード担持ラベル、および、当該バーコード担持ラベルの使用方法を提案することにある。
【課題を解決するための手段】
【０００７】
上記の課題を解決するために、本発明のバーコード担持ラベルは、
所定長さのラベルシートと、このラベルシートの裏面に形成された粘着層と、この粘着層を剥離可能な状態で覆っているライナーとを備え、
前記ラベルシートには、第１のバーコードを含む第１印刷情報が印刷されている第１ラベル部分と、第２のバーコードを含む第２印刷情報が印刷されている第２ラベル部分とが含まれており、
前記ライナーシートには、前記第１ラベル部分の裏面に位置する第１ライナーシート部分と前記第２ラベル部分の裏面に位置する第２ライナーシート部分とが含まれており、
前記第１ライナーシート部分および前記第２ライナーシート部分のうちの少なくとも一方には、当該第１ライナーシート部分または、前記第２ライナーシート部分の一部分のみを前記ラベルシートの側から剥離可能な切り剥がし部が形成されており、当該切り剥がし部を前記ラベルシートから剥がした後の前記第１ライナーシート部分あるいは、前記第２ライナーシート部分は、剥がし残しライナーシート部分として前記ラベルシートに残り、
前記第２ラベル部分における少なくとも前記第２のバーコードが印刷されている部分を、当該第２ラベル部分の裏面側に折り畳んで裏面側折り畳み部分を形成すると、前記裏面側折り畳み部分の裏面、前記裏面側折り畳み部分に対峙する前記第２ラベル部分の裏面、および、前記裏面側折り畳み部分に対峙する前記第１ラベル部分の裏面のうちの少なくとも一つの裏面に、前記切り剥がし部が位置するようになっていることを特徴としている。
【０００８】
ここで、前記裏面側折り畳み部分を形成するための折り曲げ位置には、例えば、ラベルシート上に折り曲げ線を印刷しておいてもよいが、簡単かつきれいに折り曲げることができるようにするためには、折り曲げ位置を規定する折り曲げ容易部分を形成しておくことが望ましい。折り曲げ容易部分は、例えば、前記ラベルシートおよび前記ライナーシートの少なくとも一方に形成したミシン目とすることができる。また、ラベルシートを折り曲げ位置に沿って予め切断しておけば、このラベル切断部分によって折り曲げ容易部分が規定され、当該ラベル切断部分に沿って簡単かつきれいにライナーシートを折り曲げることができる。
【０００９】
本発明のバーコード担持ラベルは次のように貼り付け対象物に貼り付けて使用できる。まず、前記切り剥がし部を切り剥がして前記粘着層の一部が露出した粘着層露出部を形成する。次に、前記第２ラベル部分を所定の部位において幅方向に延びる折り曲げ線に沿って裏面側に折り畳むことにより、前記粘着層露出部によって、前記バーコード担持ラベルの裏面側に接着された前記裏面側折り畳み部を形成して、前記第２のバーコードが前記バーコード担持ラベルの裏面側に隠れた状態にすることができる。折り曲げ容易部分が形成されている場合には折り曲げ作業を簡単に行うことができる。
【００１０】
次に、この状態で、前記第１ラベル部分の前記第１ライナーシート部分を剥離して、当該第１ラベル部分を貼り付け対象物に貼り付ける。これにより、バーコードリーダーを用いて前記第１ラベル部分に印刷されている前記第１のバーコードを読み取り可能となり、第２のバーコードは裏面側に隠れているので読み取られることがない。前記第２ラベル部分の前記第２のバーコードの読み取り時には、前記裏面側折り畳み部を前記バーコード担持ラベルの裏面側から剥がして、当該バーコード担持ラベルの表面側に前記第２のバーコードを露出させればよい。
【００１１】
このように、貼り付け対象物に貼り付けたバーコード担持ラベルにおいては、その表面側からは第１バーコードのみを読み取ることが可能であり、裏面側に隠されている第２バーコードが読取装置によって読み取られることはない。したがって、第２のバーコードを新たに追加した場合においても、第２のバーコードが第１のバーコードと一緒に読み取られて、第１のバーコードの読取障害が発生することが無い。
【００１２】
また、第２のバーコードが印刷されている裏面側折り畳み部の裏面の粘着層の部分は第２ライナーシート部分によって覆われており、粘着層露出部のみによって裏面側に貼り付けられている。したがって、裏面側折り畳み部を適切な大きさとしておけば、当該裏面側折り畳み部を簡単に剥がすことができ、裏面側折り畳み部を剥がすことによって隠されていた第２のバーコードをラベル表面側に露出させることができ、読取装置によって読み取ることができる。読取後は、再び第１ラベル部分の裏面側に折り畳んで貼り付けることができる。この代わりに、第２のバーコードが印刷されている第２ラベル部分を第１ラベル部分から切り離すことも可能である。
【００１３】
ここで、前記第２のバーコードを含む前記第２ラベル部分を前記ラベルシートにおける長さ方向の端に配置しておけば、当該第２のバーコードの部分を簡単にラベル裏面側に折り畳むことができる。
【００１４】
次に、前記切り剥がし部を、前記第２ライナーシート部分から前記第１ライナーシート部分に掛る状態に形成しておくことができる。
【００１５】
この場合には、前記切り剥がし部を、前記第１ライナーシート部分における幅方向の一方の縁から前記第２ライナーシート部分を経由して、前記第１ライナーシート部分における幅方向の他方の縁に至るように付けた切り込み線によって規定することが望ましい。このようにすれば、切り剥がし部が第１ラベル部分の側の第１ライナーシート部分に連続した状態になる。よって、切り剥がし部を剥がして裏面側折り畳み部を形成した後に、当該切り剥がし部を剥離方向に引くと、これに繋がっている第１ライナーシート部分を第１ラベル部分の裏面から簡単に剥がすことができる。
【００１６】
次に、前記切り剥がし部を、前記ライナーシートにおいて、その幅方向の一方の縁から他方の縁に至るように付けた二条の切り込み線によって規定することも可能である。この場合には、切り剥がし部を剥がすと、第１ライナーシート部分と第２ライナーシート部分が完全に分離した状態になるので、第１ライナーシート部分を第２ライナーシート部分から切断する操作が不要になり、第１ライナーシート部分の剥離操作が簡単になる。
【００１７】
ここで、複数箇所に前記切り剥がし部を形成しておくことができる。このようにすれば、切り剥がし箇所を増減することにより裏面側折り畳み部の接着力を調整することが可能になる。
【００１８】
次に、本発明のバーコード担持ラベルは、航空荷物用のラゲッジタグ、陸上輸送荷物用の配送伝票として用いることができる。このような場合には、第１ラベル部分には配送管理情報などが印刷され、第２ラベル部分には、例えば、企業および商品などの広告宣伝情報と付加サービス用の第２のバーコードが印刷される。
【発明の効果】
【００１９】
本発明のバーコード担持ラベルは、貼り付け対象物に対して、その表面側から第１バーコードのみが読み取られるように、第２のバーコードをラベル裏面側に隠した状態で貼り付けることが可能である。また、必要に応じて裏面側に隠されている第２バーコードをラベル表面側に向けて読取装置によって読み取らせることができる。したがって、第１のバーコードを用いた管理システムに用いるラベルの代わりに、第２のバーコードが追加された本発明のバーコード担持ラベルを用いた場合に、第２のバーコードが第１のバーコードと一緒に読み取られて、第１のバーコードの読取障害が発生することが無い。よって、本発明によれば、既存のバーコードによる管理システムを変更することなくそのまま用いて、新たに追加した第２のバーコードに基づく付加サービスなどの業務を実現できる。
【図面の簡単な説明】
【００２０】
【図１】本発明のバーコード担持ラベルの一例を示す平面図、断面説明図、裏面図である。
【図２】図１のバーコード担持ラベルの使用方法例を示す説明図である。
【図３】本発明のバーコード担持ラベルの別の例を示す平面図、使用状態の説明図である。
【図４】本発明のバーコード担持ラベルの３例を示す説明図である。
【発明を実施するための形態】
【００２１】
以下に、図面を参照して、本発明を適用したバーコード担持ラベルの実施の形態を説明する。
【００２２】
（配送ラベルの構成）
図１は本発明のバーコード担持ラベルを宅配業務などにおける荷物用の配送伝票に適用した場合の例を示してあり、図１（Ａ）はその平面図であり、図１（Ｂ）はその断面を厚さ方向に拡大した状態で示す説明図であり、図１（Ｃ）はその裏面図である。これらの図に示すように、配送伝票１は一定幅および一定長さの長方形のものであり、その表面側に、インクジェットプリンターなどによってカラー印刷を表面２ａに行うことが可能なラベルシート２を備えている。ラベルシート２の裏面２ｂに形成された粘着層３はライナーシート４によって覆われており、ライナーシート４は剥離可能である。ライナーシート４はラベルシート２に比べて幅および長さが僅かに大きい。
【００２３】
ラベルシート２における長さ方向の一方の側の部分は通常の配送ラベル５であり、長さ方向の他方の側の残りの部分は追加の広告ラベル６となっている。配送ラベル５の表面には配送管理情報７（第１印刷情報）が印刷されており、配送管理情報７には配送先住所、配送管理番号などの情報が含まれており、これらの情報はバーコードの形態でも印刷されている。本例では、配送管理情報を担持した第１のバーコード７ａ、７ｂが印刷されている。
【００２４】
広告ラベル６の表面には商品広告情報８（第２印刷情報）が印刷されており、この商品広告情報には、付加サービス情報などが担持された第２のバーコード８ａが含まれており、当該２のバーコード８ａも広告ラベル６の表面に印刷されている。本例では、ラベルシート２における長さ方向の端に第２のバーコード８ａが幅方向に印刷されている。勿論、複数の第２のバーコードを印刷しておくことも可能である。
【００２５】
ここで、ライナーシート４において、配送ラベル５の裏面を覆っている部分を第１ライナーシート部分４ａとし、広告ラベル６の裏面を覆っている部分を第２ライナーシート部分４ｂとして説明する。これら第１ライナーシート部分４ａおよび第２ライナーシート部分４ｂのうちの少なくとも一方に、その一部分のみをラベルシート２の側から剥離可能な切り剥がし部９が形成されている。本例では、切り剥がし部９がライナーシート４に形成した切り取り線１０によって規定されている。切り取り線１０は、第１ライナーシート部分４ａにおける第２ライナーシート部分４ｂの側の端部において、その幅方向の一方の縁４ｃから他方の縁４ｄまで延びており、切り取り線１０に沿ってライナーシート４が長さ方向に二分されている。また、切り取り線１０におけるライナーシート４の幅方向の中央部分は第２ライナーシート部分４ｂの側に細い山形状に入り込んでいる。
【００２６】
したがって、切り取り線１０によって規定される切り剥がし部９は第１ライナーシート部分４ａの側に連続して山形状に第２ライナーシート部分４ｂの側に延びている部分である。この切り剥がし部９は次の条件を満たす位置に形成すればよい。すなわち、広告ラベル６における少なくとも第２のバーコード８ａが印刷されている部分を、当該広告ラベル６の裏面側に折り畳んで裏面側折り畳み部分を形成した場合に、この裏面側折り畳み部分の裏面、この裏面側折り畳み部分に対峙する広告ラベル６の裏面、および、裏面側折り畳み部分に対峙する配送ラベル５の裏面のうち、少なくとも一つの裏面に切り剥がし部９が位置するように形成しておけばよい。
【００２７】
この形状の切り剥がし部９を、その山形の峰部分９ａの側から剥離していくと、切り取り線１０よりも配送ラベル側のライナーシート部分４Ａ（切り剥がし部９および、これに連続している第１ライナーシート部分４ａ）をラベルシート２から剥がすことができる。これらの部位を剥がした後には、切り取り線１０よりも広告ラベル側には剥がし残しライナーシート部分４Ｂが残る。
【００２８】
（配送ラベルの使用方法）
図２はこの構成の配送伝票１の使用方法を示す説明図である。配送対象の荷物Ｐに配送伝票１を貼るのに先立って、次のようにして、第２のバーコード８ａをラベル裏面側に折り畳むことにより表面側からは見えないようにする。まず、図２（Ａ）、（Ｂ）に示すように、配送伝票１の裏面の切り剥がし部９をその山形状の峰部分９ａから切り取り線１０に沿って所定長さ分だけ切り剥がす。この結果、切り剥がし部９が剥がされたラベルシート２の裏面には、粘着層３が露出した粘着層露出部３ａが形成される。
【００２９】
この後は、広告ラベル６を所定の部位において幅方向に延びる折り曲げ線６ａに沿って裏面側に折り畳む。折り曲げ位置は第２のバーコード８ａが完全にラベル裏面側に折り畳み可能な位置に設定すればよい。広告ラベル６の全体を折り畳むことも可能であるが、そこに印刷されている第２のバーコード８ａ以外の広告情報を常に表示できるように、第２のバーコード８ａの部分のみを裏面側に折り込み可能な位置で折り曲げることが望ましい。折り曲げ線６ａに沿って裏面側に折り畳むことにより、図２（Ｃ）に示すように、ラベルの裏面側折り畳み部分１Ｂが形成される。
【００３０】
ここで、折り曲げ線６ａは所望の位置とすることができ、折り曲げ位置を表す折り曲げ線６ａを例えばラベルシートに印刷しておいてもよい。また、折り曲げしやすいように折り曲げ位置（折り曲げ線６ａ）に沿って折り曲げ容易部分を形成しておくことが望ましい。例えば、ラベルシートおよびライナーシートの双方あるいは一方にミシン目を形成しておけばよい。または、折り曲げ位置（折り曲げ線６ａ）に沿ってラベル自体を切り離しておいても良い。ラベルが切り離されていてもライナーシートは繋がっているので分離しない。一般にライナーシート４は広告ラベル６よりも曲げやすいので、ラベル切断部分によって規定される折り曲げ容易部分に沿って、きれいに、かつ、簡単にラベルを折り曲げることが可能になる。
【００３１】
このようにして形成した裏面側折り畳み部分１Ｂに対峙しているラベル裏面部分には粘着層露出部３ａが形成されている。また、当該粘着層露出部３ａが裏面側折り畳み部分１Ｂの裏面にまで延びている。したがって、図２（Ｄ）に示すように、粘着層露出部３ａによって、裏面側折り畳み部分１Ｂはラベル裏面側に貼り付けられた状態になる。この状態では、裏面側折り畳み部分１Ｂの表面に形成されている第２のバーコード８ａが裏面側に隠れる。
【００３２】
この状態で、図２（Ｄ）に示すように、切り剥がし部９をラベルシート２の裏面側から離す方向に引き出すことにより、これに連続しているライナーシート部分４Ａを剥がすことができる。ライナーシート部分４Ａを剥がした後は、図２（Ｅ）に示すように、配送対象の荷物Ｐの表面Ｐａにおける所定の部位に配送伝票１を貼り付ける。配送伝票１を貼り付けた状態では、配送管理情報が担持されている第１のバーコード７ａ、７ｂのみが表面からバーコードリーダーによって読み取り可能であり、第２のバーコード８ａは後向きの状態で隠されており、読み取られることがない。
【００３３】
よって、通常の配送業務においては、一般的な配送ラベルの場合と同様に、配送伝票１をバーコードによって読み取ることにより、第１のバーコード７ａ、７ｂに担持されている配送管理情報を読み取って配送管理を行うことができる。
【００３４】
一方、広告ラベル６に印刷されている第２のバーコード８ａの読み取りが必要な場合には、裏面側折り畳み部分１Ｂを荷物Ｐの表面Ｐａから持ち上げ、図２（Ｆ）に示すように、当該裏面側折り畳み部分１Ｂをラベル表面側に折り返して元の状態に戻せばよい。裏面側折り畳み部分１Ｂは荷物Ｐの表面Ｐａには貼りついていないので簡単に持ち上げることができる。また、裏面側折り畳み部分１Ｂは、粘着層露出部３ａによって部分的にラベル裏面側に貼り付けられているだけであり、それ以外の部分は剥がし残しライナーシート部分４Ｂによって粘着層３が覆い隠されている。よって、裏面側折り畳み部分１Ｂを折り返して元に戻す操作も簡単に行うことができる。
【００３５】
表面側に折り返すことにより、第２のバーコード８ａが表面を向くので、バーコードリーダーによって読み取ることができる。第２のバーコード８ａの読み取りを一回のみ行えば良い場合には、例えば、広告ラベル６と配送ラベル５の間のミシン目などの切り取り線を予め入れておき、ここから切り取ってバーコードリーダーによって読み取ればよい。勿論、予め広告ラベル６と配送ラベル５を切り離されたラベル片としておいてもよい。第２のバーコード８ａを繰り返し読み取る必要がある場合には、当該部分を再び裏面側に折り畳んで裏面側折り畳み部分１Ｂを形成すればよい。
【００３６】
（ラゲッジタグの例）
図３は本発明のバーコード担持ラベルを航空便用のラゲッジタグとして用いた場合の例を示す説明図であり、図３（Ａ）はその平面図であり、図３（Ｂ）はその使用状態を示す説明図である。本例のラゲッジタグ１１の基本構成は上記の配送伝票１と同様であり、細長い一定の幅のラベルであり、表面側のラベルシート１２と、この裏面に形成された粘着層を覆い隠しているライナーシート１４とを備えている。
【００３７】
ラベルシート１２には、その長さ方向の中央を中心として回転対象の状態で、両側に配送管理情報１７が印刷された配送ラベル１５および広告情報１８が印刷された広告ラベル１６が形成されている。配送ラベル１５には配送管理情報（到着地、搭乗者名など）が担持された第１のバーコード１７ａ、１７ｂが印刷されており、広告ラベル１６は、例えば、空港からの荷物配送サービスを利用する際に用いる配送サービス用のクーポン券であり、ここには、第２のバーコード１８ａが印刷されている。
【００３８】
この構成のラゲッジタグ１１のライナーシート１４には、その長さ方向の両端部分に、図１、図２に示す場合と同様な切り剥がし部１９が形成されている。例えば、図３（Ｂ）クーポン券として用いることのできる広告ラベル１６の全体を、配送ラベル１５との境の折り曲げ線１６ａに沿ってラベル裏面側に折り畳むことにより、ラベル両端に、裏面側折り畳み部１１Ｂを形成する。この状態で、ライナーシート１４における配送ラベル裏面側のラベルシート部分１４Ａを剥がし取り、ラゲッジＰ１の取手Ｐｂに通して長さ方向の中央位置で折り曲げて相互に貼り付ける。この結果、配送管理用の第１のバーコード１７ａ、１７ｂがバーコードリーダーによって読取可能になり、第２のバーコード１８ａは裏面側に隠されて読み取られることがない。よって、配送情報の読み取り時の第２のバーコード１８ａも読み取られて、読取誤差、読取不良が発生して配送管理に支障を来たすという弊害が発生しない。
【００３９】
（その他の実施の形態）
上記の各例では、ライナーシートに形成した切り剥がし部９が配送ラベル裏面側のライナーシート部分４Ａ、１４Ａに連続している。この代わりに、切り剥がし部９のみをラベル裏面から切り剥がすことができるようにしてもよい。
【００４０】
図４にはこのような切り剥がし部を備えたバーコード担持ラベルの各例を示してある。まず、図４（Ａ）に示すバーコード担持ラベル２１においては、第１ラベル２５と第２ラベル２６の間においてライナーシートにはその幅方向に延びる切り取り線３０ａが形成され、第１ラベル側のライナーシート部分２４ａと第２ラベル側のライナーシート部分２４ｂが分離している。また、ライナーシート部分２４ｂにおける切り取り線３０ａの側の近傍位置には、所定の閉鎖形状の切り取り線、例えば矩形の切り取り線３０ｂによって矩形の切り剥がし部２９が規定されている。第２ラベル２６には、例えば、ラベル端側に第２のバーコード２８ａが印刷されており、これが裏面側に隠れるように、折り曲げ線２６ａに沿って裏面側に折り畳まれる。裏面側に折り畳むことにより形成される裏面側折り畳み部は、切り剥がし部２９を切り剥がすことにより形成された粘着層露出部２３ａによってラベル裏面側に貼り付けられた状態になる。この状態で、第１ラベル側のライナーシート部分２４ａを剥がして、貼り付け対象物の表面などにバーコード担持ラベル２１が貼り付けられる。
【００４１】
図４（Ｂ）に示すバーコード担持ラベル３１においては、第１ラベル３５における第２ラベル３６の側に近い部位において、一定間隔で、ラベル幅方向に平行に延びる二条の切り取り線４０ａ、４０ｂによって切り剥がし部３９が規定されている。第２ラベル３６には、例えば、ラベル端側に第２のバーコード３８ａが印刷されており、これが裏面側に隠れるように、第１、第２ラベルの境に規定した折り曲げ線３６ａに沿って裏面側に折り畳まれる。裏面側に折り畳むことにより形成される裏面側折り畳み部は、切り剥がし部３９を切り剥がすことにより形成された粘着層露出部３３ａによってラベル裏面側に貼り付けられた状態になる。この状態で、第１ラベル側のライナーシート部分３４Ａを剥がして、貼り付け対象物の表面などにバーコード担持ラベル３１が貼り付けられる。
【００４２】
図４（Ｃ）に示すバーコード担持ラベル４１においては、第２ラベル４６における第１ラベル４５の側に近い部位において、一定間隔で、ラベル幅方向に平行に延びる三条の切り取り線５０ａ、５０ｂ、５０ｃによって２箇所に切り剥がし部４９ａ、４９ｂが規定されている。第２ラベル４６には、例えば、ラベル端側に第２のバーコード４８ａが印刷されており、これが裏面側に隠れるように、第１、第２ラベルの境に規定した折り曲げ線４６ａに沿って裏面側に折り畳まれる。裏面側に折り畳むことにより形成される裏面側折り畳み部は、切り剥がし部４９ａ、４９ｂを切り剥がすことにより形成された粘着層露出部４３ａ、４３ｂによってラベル裏面側に貼り付けられた状態になる。この状態で、第１ラベル側のライナーシート部分４４ａを剥がして、貼り付け対象物の表面などにバーコード担持ラベル４１が貼り付けられる。この構成においては、一方の切り剥がし部４９ａあるいは４９ｂのみを剥がす場合と、双方を剥がす場合とでは、裏面側折り畳み部の接着力を変えることができるという効果が得られる。
【符号の説明】
【００４３】
１    配送伝票、１Ｂ  裏面側折り畳み部分、２  ラベルシート、３  粘着層、３ａ  粘着層露出部、４  ライナーシート、４ａ，４ｂ，４Ａ，４Ｂ  ライナーシート部分、４ｃ，４ｄ  縁、５  配送ラベル、６  広告ラベル、６ａ  折り曲げ線、７  配送管理情報、８  商品広告情報、７ａ，７ｂ  第１のバーコード、８ａ  第２のバーコード、９  切り剥がし部、９ａ  峰部分、１０  切り取り線、１１  ラゲッジタグ、１１Ｂ  裏面側折り畳み部、１２  ラベルシート、１４  ライナーシート、１５  配送ラベル、１６  広告ラベル、１６ａ  折り曲げ線、１７  配送管理情報、１７ａ，１７ｂ  第１のバーコード、１８  広告情報、１８ａ  第２のバーコード、１９  切り剥がし部、２１  バーコード担持ラベル、２３ａ  粘着層露出部、２４ａ，２４ｂ  ライナーシート部分、２５  第１ラベル、２６  第２ラベル、２６ａ  折り曲げ線、２８ａ  第２のバーコード、２９  切り剥がし部、３０ａ，３０ｂ  切り取り線、３１  バーコード担持ラベル、３３ａ  粘着層露出部、３４Ａ  ライナーシート部分、３５  第１ラベル、３６  第２ラベル、３６ａ  折り曲げ線、３８ａ  第２のバーコード、３９  切り剥がし部、４０ａ，４０ｂ  切り取り線、４１  バーコード担持ラベル、４３ａ，４３ｂ  粘着層露出部、４４ａ  ライナーシート部分、４５  第１ラベル、４６  第２ラベル、４６ａ  折り曲げ線、４８ａ  第２のバーコード、４９ａ，４９ｂ  切り剥がし部、５０ａ，５０ｂ，５０ｃ  切り取り線
【図１】
0005428892.tif 000002
【図２】
0005428892.tif 000003
【図３】
0005428892.tif 000004
【図４】
0005428892.tif 000005